【手続補正書】
【提出日】平成23年10月20日(2011.10.20)
【手続補正１】
【補正対象書類名】特許請求の範囲
【補正対象項目名】全文
【補正方法】変更
【補正の内容】
【特許請求の範囲】
【請求項１】
天板の両端に梯子状の脚体が設けられ、天板の四隅部に手掛かり棒が立設される作業台において、天板の四隅部に立設された手掛かり棒の天板桁側方向に対向する手掛かり棒間に、ロッドに触った時にそこが天板の桁側端部であることを感知させるための桁側感知ロッドを、また天板妻側方向に対向する手掛かり棒間に、ロッドに触った時にそこが天板の妻側端部であることを感知させるための妻側感知ロッドを、夫々各手掛かり棒の所要高さ位置に固定可能な取付金具を介して架け渡すようにした作業台における作業位置感知装置。
【請求項２】
天板の両端に梯子状の脚体が設けられ、天板の四隅部に手掛かり棒が立設される複数の作業台の天板妻側端部間に延長天板を架け渡してなるものにおいて、天板の四隅部に立設された手掛かり棒の天板桁側方向に対向する手掛かり棒間に、ロッドに触った時にそこが天板の桁側端部であることを感知させるための桁側感知ロッドを、また天板妻側方向に対向する手掛かり棒間に、ロッドに触った時にそこが天板の妻側端部であることを感知させるための妻側感知ロッドを、夫々各手掛かり棒の所要高さ位置に固定可能な取付金具を介して架け渡すようにした作業台における作業位置感知装置。
【請求項３】
天板の両端に梯子状の脚体が設けられ、天板の四隅部に手掛かり棒が立設される複数の作業台の天板妻側端部間に延長天板を架け渡し且つ天板桁側端部間には複数の延長天板を並列状に架け渡してなるものにおいて、天板の四隅部に立設された手掛かり棒には、天板及び延長天板の桁側方向に対向する手掛かり棒間、また天板の妻側方向に対向する手掛かり棒間に、桁側感知ロッド及び妻側感知ロッドを夫々各手掛かり棒の所要高さ位置に固定可能な取付金具を介して架け渡すようにした作業台における作業位置感知装置。
【請求項４】
前記取付金具は、角筒状の手掛かり棒にスライド自在に外嵌される主ポケットと、主ポケットを挟んでその左右両側に連設された桁側感知ロッド取付用ポケットと、主ポケットの前後何れか片側に連設された妻側感知ロッド取付用ポケットとからなる金具本体、及び金具本体を手掛かり棒の所要高さ位置に固定する固定具を具備し、桁側感知ロッドの端部には金具本体の桁側感知ロッド取付用ポケットに差し込まれる差込片を取り付け、妻側感知ロッドの端部には妻側感知ロッド取付用ポケットに差し込まれる差込片を取り付けてなる請求項１〜３の何れかに記載の作業台における作業位置感知装置。
【請求項５】
前記桁側感知ロッドの端部には、その差込片を桁側感知ロッド取付用ポケットに差し込んだ状態にロックするためのロック手段を、また前記妻側感知ロッドの端部には、その差込片を妻側感知ロッド取付用ポケットに差し込んだ状態にロックするためのロック手段を設けてなる請求項４に記載の作業台における作業位置感知装置。
【請求項６】
前記取付金具は、角筒状の手掛かり棒にスライド自在に外嵌支持される主ポケットと、主ポケットを挟んでその左右何れか片側に連設された桁側感知ロッド取付用ポケットと、主ポケットの前後何れか片側に連設された妻側感知ロッド取付用ポケットとからなる金具本体を有し、この金具本体には主ポケットを挟んで桁側感知ロッド取付用ポケットと反対側に、桁側感知ロッドの端部を一体的に連結してなる請求項１〜３の何れかに記載の作業台における作業位置感知装置。
【請求項７】
前記妻側感知ロッドの端部には、その差込片を妻側感知ロッド取付用ポケットに差し込んだ状態にロックするためのロック手段を設けてなる請求項６に記載の作業台における作業位置感知装置。
【請求項８】
前記桁側感知ロッド及び妻側感知ロッドを夫々伸縮可能に構成してなる請求項１〜７の何れかに記載の作業台における作業位置感知装置。
【手続補正２】
【補正対象書類名】明細書
【補正対象項目名】全文
【補正方法】変更
【補正の内容】
【発明の詳細な説明】
【発明の名称】作業台における作業位置感知装置
【技術分野】
【０００１】
本発明は、建物の建築工事現場などにおいて天井の内装仕上げや天井内の配線、配管作業などの比較的高い場所で作業を行う作業台に関し、特に、天板の両端に梯子状の脚体が設けられ、天板の四隅に手掛かり棒が立設される作業台における作業位置感知装置に関する。
【背景技術】
【０００２】
作業者が天板の上に乗って上記のような作業を行う場合、作業者は、天板から足を踏み外さないよう足元の作業位置を確認しながら作業をしなくてはいけないと思いつつも、実際の作業では、天板の端部、つまり天板の桁側端部及び妻側端部の確認が難しく、その端部から足の踏み外し現象が発生し易い状況にある。
【発明の概要】
【発明が解決しようとする課題】
【０００３】
本発明は、梯子状脚体を上り下りする際の不測の落下を防止するために天板の四隅部に立設されている手掛かり棒を利用し、この手掛かり棒間に感知ロッドを架け渡し、作業者がこの感知ロッドに触った時にそこが天板の桁側端部や妻側端部であることを作業者に感知させ、それによって天板上での作業中に天板端部からの不測の落下を未然に防ぐようにした作業台における作業位置感知装置を提供することを目的としている。
【課題を解決するための手段】
【０００４】
上記課題を解決するための手段を、後述する実施形態の参照符号を付して説明すると、請求項１に係る発明は、天板１の両端に梯子状の脚体２，２が設けられ、天板１の四隅部に手掛かり棒５が立設される作業台Ｔにおいて、天板１の四隅部に立設された手掛かり棒５の天板桁側方向に対向する手掛かり棒５，５間には、ロッド７に触った時にそこが天板１の桁側端部であることを感知させるための桁側感知ロッド７を、また天板妻側方向に対向する手掛かり棒５，５間には、ロッド８に触った時にそこが天板１の妻側端部であることを感知させるための妻側感知ロッド８を、夫々各手掛かり棒５の所要高さ位置に固定可能な取付金具９を介して架け渡すようにしたことを特徴とする。
【０００５】
請求項２に係る発明は、天板１の両端に梯子状の脚体２，２が設けられ、天板１の四隅部に手掛かり棒５が立設される複数の作業台Ｔの天板妻側端部間に延長天板２９（図５）を架け渡してなるものにおいて、天板１の四隅部に立設された手掛かり棒５の天板桁側方向に対向する手掛かり棒５，５間に、ロッド７に触った時にそこが天板１及び延長天板２９の桁側端部であることを感知させるための桁側感知ロッド７を、また天板妻側方向に対向する手掛かり棒５，５間に、ロッド８に触った時にそこが天板１の妻側端部であることを感知させるための妻側感知ロッド８を、夫々各手掛かり棒５の所要高さ位置に固定可能な取付金具９を介して架け渡すようにしたことを特徴とする。
【０００６】
請求項３に係る発明は、天板１の両端に梯子状の脚体２，２が設けられ、天板１の四隅部に手掛かり棒５が立設される複数の作業台Ｔの天板妻側端部間に延長天板２９（図８、図９）を架け渡し且つ天板桁側端部間には複数の延長天板２９を並列状に架け渡してなるものにおいて、天板１の四隅部に立設された手掛かり棒５には、天板１及び延長天板２９の桁側方向に対向する手掛かり棒５，５間、また天板１の妻側方向に対向する手掛かり棒５，５間に、桁側感知ロッド７及び妻側感知ロッド８を夫々各手掛かり棒５の所要高さ位置に固定可能な取付金具９を介して架け渡すようにしたことを特徴とする。
【０００７】
請求項４は、請求項１〜３の何れかに記載の作業台における作業位置感知装置において、前記取付金具９は、図３に示すように、角筒状の手掛かり棒５にスライド自在に外嵌される主ポケット１０と、主ポケット１０を挟んでその左右両側に連設された桁側感知ロッド取付用ポケット１１，１２と、主ポケット１０の前後何れか片側に連設された妻側感知ロッド取付用ポケット１３とからなる金具本体１４、及び金具本体１４を手掛かり棒５の所要高さ位置に固定する固定具１５を具備し、桁側感知ロッド７の端部には金具本体１４の桁側感知ロッド取付用ポケット１１，１２に差し込まれる差込片１６を取り付け、妻側感知ロッド８の端部には妻側感知ロッド取付用ポケット１３に差し込まれる差込片１７を取り付けてなることを特徴とする。
【０００８】
請求項５は、請求項４に記載の作業台における作業位置感知装置において、前記桁側感知ロッド７の端部には、その差込片１６を桁側感知ロッド取付用ポケット１１，１２に差し込んだ状態にロックするためのロック手段１８を、また前記妻側感知ロッド８の端部には、その差込片１７を妻側感知ロッド取付用ポケット１３に差し込んだ状態にロックするためのロック手段１９を設けてなることを特徴とする。
【０００９】
請求項６は、請求項１〜３の何れかに記載の作業台における作業位置感知装置において、前記取付金具９は、図６に示すように、角筒状の手掛かり棒にスライド自在に外嵌支持される主ポケット１０と、主ポケット１０を挟んでその左右何れか片側に連設された桁側感知ロッド取付用ポケット１２と、主ポケット１０の前後何れか片側に連設された妻側感知ロッド取付用ポケット１３とからなる金具本体１４を有し、この金具本体１４には主ポケット１０を挟んで桁側感知ロッド取付用ポケット１２と反対側に、桁側感知ロッド７の端部を一体的に連結してなることを特徴とする。
【００１０】
請求項７は、請求項６に記載の作業台における作業位置感知装置において、前記妻側感知ロッド８の端部には、その差込片１７を妻側感知ロッド取付用ポケット１３に差し込んだ状態にロックするためのロック手段１９を設けてなることを特徴とする。
【００１１】
請求項８は、請求項１〜７の何れかに記載の作業台における作業位置感知装置において、前記桁側感知ロッド７及び妻側感知ロッド８を夫々伸縮可能に構成してなることを特徴とする。
【発明の効果】
【００１２】
上記解決手段による発明の効果を、後述する実施形態の参照符号を付して説明すると、請求項１に係る発明によれば、作業台Ｔの四隅部に立設した天板桁側方向に対向する手掛かり棒５，５間に桁側感知ロッド７を架け渡し、天板妻側方向に対向する手掛かり棒５，５間に妻側感知ロッド８を架け渡すことによって、天板１上で作業する作業者は、桁側感知ロッド７に触った時にはその位置が天板１の桁側端部であることを感知し、また妻側感知ロッド８に触った時にはその位置が天板１の妻側端部であることを感知するから、天板１からの不測の落下を未然に防ぐことができる。
【００１３】
請求項２に係る発明によれば、複数の作業台Ｔの天板妻側端部間に延長天板２９を架け渡してなるものにおいても、天板１の四隅部に立設された手掛かり棒５の天板桁側方向に対向する手掛かり棒５，５間に桁側感知ロッド７を架け渡し、天板妻側方向に対向する手掛かり棒５，５間に妻側感知ロッド８を架け渡すことによって、天板１や延長天板２９上で作業する作業者は、桁側感知ロッド７に触った時にはその位置が天板１や延長天板２９の桁側端部であることを感知し、また妻側感知ロッド８に触った時にはその位置が天板１の妻側端部であることを感知するから、天板１からの不測の落下を未然に防ぐことができる。
【００１４】
請求項３に係る発明によれば、複数の作業台Ｔの天板妻側端部間に延長天板２９を架け渡し且つ天板桁側端部間に複数の延長天板２９を並列状に架け渡してなるものにおいても、天板１の四隅部に立設された手掛かり棒５には、天板１及び延長天板２９の桁側方向に対向する手掛かり棒５，５間、また天板１の妻側方向に対向する手掛かり棒５，５間に、桁側感知ロッド７及び妻側感知ロッド８を夫々各手掛かり棒５の所要高さ位置に固定可能な取付金具９を介して架け渡すことによって、天板１や延長天板２９上で作業する作業者は、桁側感知ロッド７に触った時にはその位置が天板１や延長天板２９の桁側端部であることを感知し、また妻側感知ロッド８に触った時にはその位置が天板１の妻側端部であることを感知するから、天板１や延長天板２９からの不測の落下を未然に防ぐことができる。
【００１５】
請求項４に係る発明のように、取付金具９は、手掛かり棒５に外嵌される主ポケット１０と、主ポケット１０を挟んでその両側に連設された桁側感知ロッド取付用ポケット１１，１２と、主ポケット１０の前後何れか片側に連設された妻側感知ロッド取付用ポケット１３とからなる金具本体１４、及び金具本体１４を手掛かり棒５の所要高さ位置に固定する固定具１５を備え、桁側感知ロッド７の端部には金具本体１４の桁側感知ロッド取付用ポケット１１，１２に差し込まれる差込片１６を、また妻側感知ロッド８の端部には妻側感知ロッド取付用ポケット１３に差し込まれる差込片１７を取り付けているので、感知ロッド７，８を手掛かり棒５，５間に架け渡すのに、桁側感知ロッド７は、差込片１６を取付金具９の桁側感知ロッド取付用ポケット１１，１２に差し込み、妻側感知ロッド８は、差込片１７を妻側感知ロッド取付用ポケット１３に差し込むだけで、感知ロッド７，８の架け渡し作業を容易に行うことができる。
【００１６】
請求項５に係る発明のように、桁側感知ロッド７の端部に設けてあるロック手段１８によって、差込片１６を取付金具９の桁側感知ロッド取付用ポケット１１，１２に差し込んだ状態にロックし、また妻側感知ロッド８の端部のロック手段１９によって、差込片１７を妻側感知ロッド取付用ポケット１３に差し込んだ状態にロックしておけば、感知ロッド７，８が取付金具９から容易に外れることがない。
【００１７】
請求項６に係る発明のように、桁側感知ロッド７の端部に取付金具９を一体的に連結した構造とすることにより、手掛かり棒５への桁側感知ロッド７の取付作業が簡単となる。
【００１８】
請求項７に係る発明のように、妻側感知ロッド８の端部に、差込片１７を妻側感知ロッド取付用ポケット１３に差し込んだ状態にロックするためのロック手段１９を設けることにより、妻側感知ロッド８が取付金具９から容易に外れることがない。
【００１９】
請求項８に係る発明のように、桁側感知ロッド７及び妻側感知ロッド８を夫々伸縮可能に構成することにより、天板１の四隅部に立設される手掛かり棒５，５間の寸法が多少変わったり、その寸法に狂いがあっても、感知ロッド７，８の長さを適宜に調整できて、手掛かり棒５，５間に的確に架け渡すことができる。
【図面の簡単な説明】
【００２０】
【図１】本発明に係る作業台の全体を示す斜視図である。
【図２】図１に示す作業台の要部拡大正面図である。
【図３】手掛かり棒に取り付けられる取付金具とこれに取り付けられる桁側感知ロッド及び妻側感知ロッドの夫々一端部側を示す斜視図である。
【図４】(a) は図２の(a) の矢印Ａで示す部分の拡大図、(b) は(a) のＢ−Ｂ線断面図、(c) は(a) のＣ−Ｃ線断面図で、感知ロッドのみを示し、(d) は(a) に示す取付金具の左側面図、(e) は感知ロッドの端部が取付金具にロックされている状態の正面図、(e) はロック解除されている状態の側面図、(f) は(e) のＤ−Ｄ線断面図で、感知ロッドのみを示している。
【図５】作業台と作業台との間の天板間に延長天板を架け渡した状態の正面図である。
【図６】桁側感知ロッドと一体的に取り付けられた取付金具の実施形態を示すもので、(a) は正面図、(b) は平面図、(c) は(a) のＥ−Ｅ線断面図である。
【図７】感知ロッドを示す一部省略正面図である。
【図８】(a) は本発明に係る他の作業台の全体を示す平面図、(b) は正面図であり、(c) は(a) の矢印Ｆで示す部分の拡大図である。
【図９】(a) は本発明に係る更に他の作業台の全体を示す平面図、(b) はその正面図である。
【発明を実施するための形態】
【００２１】
以下に本発明の作業台における作業位置感知装置の好適な実施形態を図面に基づき説明すると、図１に示す作業台Ｔにおいて、天板１の左右両端には、夫々梯子状の一対の脚体２，２が、回転金具３によって、天板１の下面に平行に沿うように折り畳んだ閉脚状態と、末広がり状に傾斜して起立した開脚状態との間で開閉可能に設けられ、天板１と各脚体２との間には途中で屈曲自在なステイ４が介装されている。各脚体２は、若干末広がり状に配置された両側一対の脚柱２ａ，２ａと、両脚柱２ａ，２ａ間に複数段に横架された踏桟２ｂとからなり、各の下端には伸縮脚２ｏが伸縮可能につながれている。
【００２２】
そして天板１の四隅部には脚体２と天板１との昇降口に位置するように手掛かり棒５が設けられ、各手掛かり棒５は、その下端部が、脚体２の外側面側上端部に装着されたブラケット６により着脱自在に取り付けられて、図１及び図２に示すような直立姿勢に立設されるようになっている。また各手掛かり棒５は、図３に仮想線で示すようにアルミ押出形材によって形成される角筒状体からなるもので、その上端部には図４の(a) ，(d) ，(e) に示すようにキャップ５ｏが取り付けてある。
【００２３】
天板１の四隅部に立設された４本の手掛かり棒５には天板桁側方向（即ち、天板１の長手方向）に対向する手掛かり棒５，５間に、天板１から、例えば６０ｃｍ〜８０ｃｍの高さ位置にロッド７に触った時にそこが天板１の桁側端部であることを感知させるための桁側感知ロッド７が、また天板妻側方向（天板１の幅方向）に対向する手掛かり棒５，５間には、ロッド８に触った時にそこが天板１の妻側端部であることを感知させるための妻側感知ロッド８が、夫々各手掛かり棒５の所要高さ位置に固定可能な取付金具９を介して架け渡されている。
【００２４】
桁側感知ロッド７及び妻側感知ロッド８は、天板１上で作業している作業者がこれらに触れた時に、その触れた地点が天板１の桁側端部であり、また妻側端部であることを感知させるためのもので、作業者が体重をかけたり、少し強く触ったら潰れるような構造的強度の弱いものであって、手掛かり棒の上端部間に連結される安全手摺りである上横桟とは全く異なるものである。したがって、感知ロッド７，８は、手摺構成部材のように肉厚部材で形成する必要がないから、安価に製作できる。また、この感知ロッド７，８の特徴は、各手掛かり棒５の所要高さ位置に固定可能な取付金具９を介して手掛かり棒５，５間に架け渡されるようになっていることである。尤も従来から採用されている強度のある安全手摺部材を安全手摺として使用すると共に、感知ロッド７，８として使用するようにしてもよい。
【００２５】
取付金具９は、図３及び図４から分かるように、角筒状の手掛かり棒５にスライド自在に外嵌される断面正方形の主ポケット１０と、この主ポケット１０を挟んでその左右両側に連設された断面長方形の桁側感知ロッド取付用ポケット１１，１２と、主ポケットの前部側に連設された断面長方形の妻側感知ロッド取付用ポケット１３とからなる金具本体１４、及びこの金具本体１４を手掛かり棒５の所要高さ位置に固定するための蝶ボルトからなる固定ボルト１５（固定具）を具備している。また、図３に示すように、桁側感知ロッド７の両端部には金具本体１４の各桁側感知ロッド取付用ポケット１１，１２に上方より差し込まれる差込片１６が取り付けられ、妻側感知ロッド８の両端部には妻側感知ロッド取付用ポケット１３に上方より差し込まれる差込片１７が取り付けられている。
【００２６】
この取付金具９を固定ボルト１５（固定具）で手掛かり棒５の所要高さ位置に固定するには、主ポケット１０を手掛かり棒５に嵌挿させ、そして金具本体１４から手掛かり棒５に設けられている所要のボルト挿通孔（図示省略）にわたって固定ボルト１５を挿通し、その挿通端部にナット２０を螺合すればよい。
【００２７】
そして、手掛かり棒５には、そのボルト挿通孔１５ａが、例えば下端部と中間部と上端部との３箇所に設けてあり、固定ボルト１５を手掛かり棒５の下端部のボルト挿通孔に挿通すれば、桁側感知ロッド７を図２の仮想線で示すような低位置で手掛かり棒５，５間に架け渡すことができるから、作業者が天板１上でかがんで作業するような場合に有効であり、また上端部のボルト挿通孔に挿通すれば、図２の実線で示すような高位置に架け渡すことができるから、天板１上で立ったまま作業する場合に有効であり、また中間部のボルト挿通孔に挿通すれば、図示しない中間位置に架け渡すことができるから、中腰で作業するような場合に有効となる。妻側感知ロッド８についても同様である。
【００２８】
また、図２〜図４に示すように、桁側感知ロッド７の両端部には、その差込片１６を桁側感知ロッド取付用ポケット１１，１２に差し込んだ状態にロックするためのロック手段１８が設けられ、妻側感知ロッド８の両端部にも、その差込片１７を妻側感知ロッド取付用ポケット１３に差し込んだ状態にロックするためのロック手段１９が設けられている。
【００２９】
桁側感知ロッド用のロック手段１８は、図４に示すように、桁側感知ロッド７の端部に設けてある差込片１６の手前側に、前板ａと後板ｂと下板ｃとからなる略Ｕ字状の取付枠２１を取り付け、前板ａと後板ｂとにわたって設けた貫通孔ｄにロックピン２２を挿通して、このロックピン２２の後端にコ字枠片２３を取り付けると共に、取付枠２１の前後板ａ，ｂ間においてロックピン２２に設けたストッパーｅと後板ｂとの間にコイルバネ２４を介装する一方、取付金具９の金具本体１４にはロックピン２２と対向する桁側感知ロッド取付用ポケット１１の所定位置にピン孔２５を設けたものでものである。
【００３０】
従って、図４の(a) に示すように、取付金具９を手掛かり棒５の所要高さ位置に固定した状態でコ字枠片２３を水平にして取付枠２１の後板ｂに嵌合させると、ロックピン２２が前方へ押されて取付金具９の金具本体１４のピン孔２４に突入してロック状態となる。このロック状態を解除する時は、図４の(e) ，(f) に示すように、コ字枠片２３を後方へ引いて９０°向きを変えた状態で後板ｂの後側面に当接させればよい。
【００３１】
妻側感知ロッド用のロック手段１９（図３）は、ロックピン２２が突入するピン孔２５を金具本体１４の妻側感知ロッド取付用ポケット１３の所定位置に設けた点がロック手段１８と相違するだけで、上記桁側感知ロッド用ロック手段１８と同じ構造である。
【００３２】
上記のように構成される作業位置感知装置の設置にあたっては、先ず、図１に示すように作業台Ｔにおける天板１の四隅部に起立した４本の手掛かり棒５に夫々取付金具９を所要高さ位置、例えば各手掛かり棒５の上端部に取り付ける。この取付金具９の取付けは、図３及び図４によって説明したように、金具本体１４の妻側感知ロッド取付用ポケット１３を内側に向けた状態で主ポケット１０を手掛かり棒５に嵌め込み、固定ボルト１５（固定具）を締め付ければよい。
【００３３】
こうして各手掛かり棒５の上端部に取付金具９を取付け固定した状態で、天板桁側方向に対向する手掛かり棒５，５間に桁側感知ロッド７を架け渡し、天板妻側方向に対向する手掛かり棒５，５間に妻側感知ロッド８を架け渡す。なお、天板１の桁側及び妻側に天板１を囲むように感知ロッド７，８が取り付けられているため、作業者が脚体２の踏桟２ａを登って天板１上に乗り移る際には、妻側感知ロッド８の下をくぐって天板１上に乗り移るか、一時的に妻側感知ロッド８を手掛かり棒５から外して天板１上に移った後に、再度該感知ロッド８を手掛かり棒５に取り付けるようにすればよい。
【００３４】
感知ロッド７，８の架け渡しにあたっては、図３によって説明したように、桁側感知ロッド７は、その差込片１６を取付金具９の桁側感知ロッド取付用ポケット１１，１２に差し込み、妻側感知ロッド８は、差込片１７を妻側感知ロッド取付用ポケット１３に差し込めばよい。そしてこの場合、桁側感知ロッド７の端部に設けてあるロック手段１８によって、差込片１６を取付金具９の桁側感知ロッド取付用ポケット１１，１２に差し込んだ状態にロックし、また妻側感知ロッド８の端部のロック手段１９によって、差込片１７を妻側感知ロッド取付用ポケット１３に差し込んだ状態にロックしておけば、感知ロッド７，８が取付金具９から容易に外れることがない。
【００３５】
上記のように、作業台Ｔの四隅部に立設した天板桁側方向に対向する手掛かり棒５，５間に桁側感知ロッド７を架け渡し、天板妻側方向に対向する手掛かり棒５，５間に妻側感知ロッド８を架け渡すことによって、天板１上で作業する作業者は、桁側感知ロッド７に触った時にはその位置が天板１の桁側端部であることを感知することができ、また妻側感知ロッド８に触った時にはその位置が天板１の妻側端部であることを感知することができるから、天板１の桁側端部及び妻側端部からの不測の落下を未然に防ぐことができる。
【００３６】
桁側感知ロッド７及び妻側感知ロッド８は、夫々伸縮可能に構成されている。即ち、図７に示すように、桁側感知ロッド７は、夫々アルミ押出型材製の角筒状の一対のロッド本体７ａ，７ａと、両ロッド本体７ａ，７ａにわたって嵌挿されるアルミ押出型材製の角筒状の連結ロッド７ｏとからなるもので、連結ロッド７ｏの一端部は一方のロッド本体７ａに止め具２６で固定され、連結ロッド７ｏの他端部には、略くの字状の板バネ２７によって他方のロッド本体７ａの係合孔２８ａから突出する係合ピン２８が内装されていて、係合ピン２８の頭を押さえて係合孔の中に没入させると、他方のロッド本体７ａをスライドさせて伸縮させることができる。この他方のロッド本体７ａには係合孔２８ａが一定ピッチで多数設けられている。妻側感知ロッド８も同じ構成で、夫々角筒状の一対のロッド本体８ａ，８ａと、両ロッド本体８ａ，８ａにわたって嵌挿される連結ロッド８ｏとからなる。このように桁側感知ロッド７及び妻側感知ロッド８を夫々伸縮可能に構成することにより、天板１の四隅部に立設される手掛かり棒５，５間の寸法が多少変わったり、その寸法に狂いがあっても、感知ロッド７，８の長さを適宜に調整できて、手掛かり棒５，５間に的確に架け渡すことができる。
【００３７】
図５は作業台Ｔと作業台Ｔとの間の天板１，１間に接続用の延長天板２９を架け渡した場合を示す。この場合は、両作業台Ｔ，Ｔ間において延長天板２９の桁側方向に対向する手掛かり棒５，５に取り付けてある取付金具９，９の桁側感知ロッド取付用ポケット１１，１２（図３参照）に、桁側感知ロッド７の両端部の差込片１６、１６を差し込み、ロック手段１８，１８によって固定すればよい。また、図５には図示を省略しているが、各作業台Ｔにおいて天板妻側方向に対向する手掛かり棒５，５間には妻側感知ロッド８を架け渡す。このようにすることによって、天板１や延長天板２９上で作業する作業者は、桁側感知ロッド７に触った時にはその位置が天板１や延長天板２９の桁側端部であることを感知し、また妻側感知ロッド８に触った時にはその位置が天板１の妻側端部であることを感知するから、天板１や延長天板２９からの不測の落下を未然に防ぐことができる。この図５では、桁側感知ロッド７を手掛かり棒５，５の上端部で架け渡しているが、取付金具９を手掛かり棒５の所要高さ位置に固定することにより、桁側感知ロッド７を任意の高さ位置に架け渡すことができる。
【００３８】
図６は桁側感知ロッド７と一体的に取り付けられた取付金具９の実施形態を示すもので、(a) は正面図、(b) は平面図、(c) は(a) のＥ−Ｅ線断面図である。この取付金具９は、角筒状の手掛かり棒５にスライド自在に外嵌支持される主ポケット１０と、この主ポケット１０を挟んでその左右何れか片側に連設された桁側感知ロッド取付用ポケット１２と、主ポケット１０の前部側に連設された妻側感知ロッド取付用ポケット１３とからなる金具本体１４を有し、この金具本体１４には主ポケット１０を挟んで桁側感知ロッド取付用ポケット１２と反対側に、桁側感知ロッド７の端部が両側一対の連結部片３０，３０を介して一体的に連結されている。各連結部片３０は、桁側感知ロッド７及び金具本体１４に対して夫々リベット結合されている。
【００３９】
上記のように桁側感知ロッド７の端部に取付金具９を一体的に連結した構造とすることにより、桁側感知ロッド７の端部に設けられる差込片１６が不要になると共に、桁側感知ロッド７の端部の差込片１６を桁側感知ロッド取付用ポケット１１，１２に差し込んだ状態にロックするためのロック手段１８が不要となり、手掛かり棒５への桁側感知ロッド７の取付作業が簡単となる。
【００４０】
図８の(a) は本発明に係る他の作業位置感知装置を示す平面図、(b) は正面図、(c) は(a) の矢印Ｆで示す部分の拡大図であって、この作業位置感知装置は、前後の各左右間の作業台Ｔの天板妻側端部間に延長天板２９，２９を架け渡し且つ前後の各天板桁側端部間及び前後の延長天板桁側端部間には妻側端部が対接して複数の延長天板２９を並列状に架け渡すことにより作業ステージを形成したものにおいて、天板１の四隅部に立設された手掛かり棒５には、作業ステージの外周縁に沿うように、天板１及び延長天板２９の桁側方向に対向する手掛かり棒５，５間、及び天板１の妻側方向に対向する手掛かり棒５，５間に、桁側感知ロッド７及び妻側感知ロッド８を夫々各手掛かり棒５の所要高さ位置に固定可能な取付金具９を介して架け渡すようにしている。尚、手掛かり棒５への桁側感知ロッド７及び妻側感知ロッド８の架け渡し方法については、図３及び図４によって説明した前述の作業位置感知装置の場合と同様である。
【００４１】
図９の(a) は本発明に係る更に他の作業位置感知装置を示す平面図、(b) は正面図である。この作業位置感知装置は、複数の作業台Ｔの天板妻側端部間に延長天板２９を架け渡し且つ天板桁側端部間には複数の延長天板２９を並列状に架け渡すことによって、大型の鉄骨製角柱Ｐを取り囲むように作業ステージを形成したものにおいて、天板１の四隅部に立設された手掛かり棒５には、作業ステージの内周縁及び外周縁に沿うように、天板１及び延長天板２９の桁側方向に対向する手掛かり棒５，５間、及び天板１の妻側方向に対向する手掛かり棒５，５間に、桁側感知ロッド７及び妻側感知ロッド８を夫々各手掛かり棒５の所要高さ位置に固定可能な取付金具９を介して架け渡すようにしている。
【００４２】
上記のように作業ステージを形成した複数の作業台Ｔにおいて、天板１及び延長天板２９の桁側方向に対向する手掛かり棒５，５間、また天板１の妻側方向に対向する手掛かり棒５，５間に、桁側感知ロッド７及び妻側感知ロッド８を夫々各手掛かり棒５の所要高さ位置に固定可能な取付金具９を介して架け渡すことによって、天板１や延長天板２９上で作業する作業者は、桁側感知ロッド７に触った時にはその位置が天板１や延長天板２９の桁側端部であることを感知し、また妻側感知ロッド８に触った時にはその位置が天板１の妻側端部であることを感知するから、天板１や延長天板２９からの不測の落下を未然に防ぐことができる。
【符号の説明】
【００４３】
１            天板
２            脚体
５            手掛かり棒
７            桁側感知ロッド
８            妻側感知ロッド
９            取付金具
１０          主ポケット
１１、１２    桁側感知ロッド取付用ポケット
１３          妻側感知ロッド取付用ポケット
１４          金具本体
１５          固定具
１６，１７    差込片
１８，１９    ロック手段